(57)【要約】  高割合の石鹸を含み、グリット形成の低減又は排除を呈し、従来の製造プロセスによって作製することができる、固体洗浄組成物。組成物は、石鹸と、Ｃ８−２２脂肪酸と、少なくとも１つのイセチオン酸エステル界面活性剤と、少なくとも１つのアルキルイセチオン酸エステル界面活性剤とを含む。
2019516851.tif 000002
【特許請求の範囲】
【請求項１】
（ｉ）１〜１５ｗｔ％の少なくとも１つのＣ８−Ｃ２２脂肪酸と、
（ii）２〜２５ｗｔ％の少なくとも１つの式（Ｉ）のイセチオン酸エステル界面活性剤：
【化１】
2019516851.tif 000017
(I)
と、
（iii）０．５〜７．５ｗｔ％の少なくとも１つの式（II）のアルキルイセチオン酸エステル界面活性剤：
【化２】
2019516851.tif 000018
(II)
［式中、Ｒ１及びＲ２は、それぞれ独立して、置換又は非置換Ｃ４−Ｃ３６ヒドロカルビル基を表し、
Ｒ３、Ｒ４、Ｒ５及びＲ６は、それぞれ独立して、水素、又は置換若しくは非置換Ｃ１−Ｃ４アルキル基を表し、但し、Ｒ３、Ｒ４、Ｒ５及びＲ６の少なくとも１つは、水素ではなく、
Ｍ＋及びＭ１＋は、それぞれ独立して、カチオンを表す］
と、
（iv）５２．５〜９５ｗｔ％の石鹸と
を含む、洗浄組成物。
【請求項２】
固体組成物である、請求項１に記載の洗浄組成物。
【請求項３】
Ｃ８−Ｃ２２脂肪酸が、ステアリン酸、ヤシ脂肪酸、ラウリン酸、ミリスチン酸及びパルミチン酸の１又は２以上から選択される、請求項１又は２に記載の洗浄組成物。
【請求項４】
少なくとも１つの式（Ｉ）のイセチオン酸エステル界面活性剤が、ラウロイルイセチオン酸ナトリウム、ココイルイセチオン酸ナトリウム及びミリストイルイセチオン酸ナトリウムの１又は２以上から選択される、請求項１〜３のいずれかに記載の洗浄組成物。
【請求項５】
少なくとも１つの式（II）のアルキルイセチオン酸エステル界面活性剤が、ラウロイルメチルイセチオン酸ナトリウム、ココイルメチルイセチオン酸ナトリウム及びオレオイルメチルイセチオン酸ナトリウムの１又は２以上から選択される、請求項１〜４のいずれかに記載の洗浄組成物。
【請求項６】
石鹸が、Ｃ８−Ｃ２２飽和又は不飽和脂肪酸の１又は２以上の塩から選択される、請求項１〜５のいずれかに記載の洗浄組成物。
【請求項７】
石鹸が、ヤシ脂肪酸ナトリウム、牛脂脂肪酸ナトリウム、ラウリン酸ナトリウム、ミリスチン酸ナトリウム、ステアリン酸ナトリウム、パーム脂肪酸ナトリウム、パーム核脂肪酸ナトリウム、オリーブ脂肪酸ナトリウム、ヤシ脂肪酸カリウム、牛脂脂肪酸カリウム、ラウリン酸カリウム、ミリスチン酸カリウム、ステアリン酸カリウム、パーム脂肪酸カリウム、パーム核脂肪酸カリウム、オリーブ脂肪酸カリウム、ヤシ脂肪酸モノ、ジ又はトリエタノールアミン、牛脂脂肪酸モノ、ジ又はトリエタノールアミン、ラウリン酸モノ、ジ又はトリエタノールアミン、ミリスチン酸モノ、ジ又はトリエタノールアミン、ステアリン酸モノ、ジ又はトリエタノールアミン、パーム脂肪酸モノ、ジ又はトリエタノールアミン、パーム核脂肪酸モノ、ジ又はトリエタノールアミン、及びオリーブ脂肪酸モノ、ジ又はトリエタノールアミンの１又は２以上から選択される、請求項１〜６のいずれかに記載の洗浄組成物。
【請求項８】
アニオン性界面活性剤、カチオン性界面活性剤、非イオン性界面活性剤、両性イオン性及び両性界面活性剤の１又は２以上から選択される１又は２以上のさらなる界面活性剤を含む、請求項１〜７のいずれかに記載の洗浄組成物。
【請求項９】
香料、顔料／着色剤、充填剤、ワックス、ポリクォート、ポロキサマー、ポリヒドロキシアルコール、カチオン性グアー、キレート剤及び活性成分の１又は２以上から選択される１又は２以上の追加の成分を含む、請求項１〜８のいずれかに記載の洗浄組成物。
【請求項１０】
皮膚及び／又は毛髪を洗浄する方法であって、前記皮膚及び／又は毛髪を、請求項１〜９のいずれかに記載の洗浄組成物と接触させるステップを含む、前記方法。
【請求項１１】
グリット形成が低減した及び／又は排除された洗浄組成物を製造する方法であって、
（ｉ）１〜１５ｗｔ％の少なくとも１つのＣ８−Ｃ２２脂肪酸と、
（ii）２〜２５ｗｔ％の少なくとも１つの式（Ｉ）のイセチオン酸エステル界面活性剤：
【化３】
2019516851.tif 000019
(I)
と、
（iii）０．５〜７．５ｗｔ％の少なくとも１つの式（II）のアルキルイセチオン酸エステル界面活性剤：
【化４】
2019516851.tif 000020
(II)
［式中、Ｒ１及びＲ２は、それぞれ独立して、置換又は非置換Ｃ４−Ｃ３６ヒドロカルビル基を表し、
Ｒ３、Ｒ４、Ｒ５及びＲ６は、それぞれ独立して、水素、又は置換若しくは非置換Ｃ１−Ｃ４アルキル基を表し、但し、Ｒ３、Ｒ４、Ｒ５及びＲ６の少なくとも１つは、水素ではなく、
Ｍ＋及びＭ１＋は、それぞれ独立して、カチオンを表す］
と、
（iv）５２．５〜９５ｗｔ％の石鹸と
を混和するステップを含む、前記方法。
【請求項１２】
洗浄組成物において使用するためのベース組成物であって、
（ｉ）１０〜４０ｗｔ％の少なくとも１つのＣ８−Ｃ２２脂肪酸と、
（ii）６５〜９５ｗｔ％の少なくとも１つの式（Ｉ）のイセチオン酸エステル界面活性剤：
【化５】
2019516851.tif 000021
(I)
及び５〜３５ｗｔ％の少なくとも１つの式（II）のアルキルイセチオン酸エステル界面活性剤：
【化６】
2019516851.tif 000022
(II)
［式中、Ｒ１及びＲ２は、それぞれ独立して、置換又は非置換Ｃ４−Ｃ３６ヒドロカルビル基を表し、
Ｒ３、Ｒ４、Ｒ５及びＲ６は、それぞれ独立して、水素、又は置換若しくは非置換Ｃ１−Ｃ４アルキル基を表し、但し、Ｒ３、Ｒ４、Ｒ５及びＲ６の少なくとも１つは、水素ではなく、
Ｍ＋及びＭ１＋は、それぞれ独立して、カチオンを表す］
を含む、６０〜９０ｗｔ％の合成洗剤組成物と
を含む、前記ベース組成物。
【請求項１３】
固体組成物である、請求項１２に記載のベース組成物。
【請求項１４】
請求項１２又は１３に記載のベース組成物を含む、洗浄組成物。
【請求項１５】
洗浄組成物におけるグリット形成を低減させる及び／又は排除する方法であって、請求項１２又は１３に記載のベース組成物を、前記洗浄組成物に組み込むステップを含む、前記方法。
【請求項１６】
洗浄組成物におけるグリット形成を低減させる及び／又は排除するための、請求項１２又は１３に記載のベース組成物の使用。
【請求項１７】
請求項１４に記載の洗浄組成物を調製する方法であって、請求項１２又は１３に記載のベース組成物を、石鹸と混合するステップを含む、前記方法。
【請求項１８】
皮膚及び／又は毛髪を洗浄する方法であって、前記皮膚及び／又は毛髪を、請求項１２又は１３に記載のベース組成物を含む洗浄組成物と接触させるステップを含む、前記方法。
【請求項１９】
請求項１〜９及び１４のいずれかに記載の洗浄組成物と、包装とを含む、パーソナルケア製品。
【発明の詳細な説明】
【技術分野】
【０００１】
本発明は、洗浄組成物（cleansing composition）、特に固体洗浄組成物に関する。本発明は、洗浄組成物において使用するためのベース組成物、洗浄組成物におけるグリット形成を低減させる及び／又は排除する方法、皮膚及び／又は毛髪を洗浄する方法、並びに洗浄組成物を含むパーソナルケア製品にも関する。
【背景技術】
【０００２】
固体バーの形態の洗浄組成物は周知である。これらは、石鹸バー（例えば脂肪酸塩の形態の石鹸を主として含む）の形態、又は、合成の洗剤（又は界面活性剤）を含有し石鹸をほとんど若しくは全く含有しない、シンデットバー（syndet bar：固形合成洗剤）の形態であり得る。石鹸バーは一般に、良好な洗浄及び泡立ちをもたらし、生産するのに比較的安価であるが、高いｐＨを有し、使用者の皮膚に刺激を引き起こし得る。シンデットバーは、一般的には、石鹸バーよりも低いｐＨを有し、よりマイルドであるが、作製するのに有意に高価である。したがって、組合せ又はコンボバー（以後、コンボバーと称する）が開発され、これは、石鹸及び合成洗剤の両方の混合物を含む。
【０００３】
コンボバーの一例は、高レベルの合成洗剤及び低レベルの石鹸を含む美容バーである。高レベルの合成洗剤により、美容バーは、一般的には、シンデットバーに関連する問題の多くを呈し、生産するのに高価である。したがって、より高レベルの石鹸を有するコンボバーを提供すること、全体的なｐＨを低下させ、使用中の刺激を低減させるために、より低レベルの合成洗剤を組み合わせて、良好な洗浄を提供し、生産コストを低く保つことが望ましいであろう。しかしながら、そのようなコンボバーは、配合し生産するのが困難であることが、当該技術分野において周知である。これは、当該技術分野において「グリット」として公知である微粒子が、約２０〜４０℃の温度の流水下、コンボバー中で形成する傾向があるためである。グリットは、コンボバーの構成成分が、異なる溶解度及び融解温度を有するために形成すると考えられている。そのようなグリットは、望ましくなく、この種類のコンボバーを使用者にとって魅力のないものにする。
【０００４】
例えば、石鹸を、イセチオン酸アシル、遊離脂肪酸及びアルカリ金属イセチオネートを含むチップの形態の合成洗剤と組み合わせることは望ましいとみなされる。一般的には、そのようなチップは、遊離脂肪酸及びアルカリ金属イセチオネートの直接エステル化により作製されて、いわゆる「ＤＥＦＩ」（すなわち、直接エステル化脂肪酸イセチオネート、directly esterified fatty acid isethionate）チップを形成する。石鹸を「ＤＥＦＩ」チップ又はフレークに添加すると、コストが低減し（石鹸ははるかに安価になる）、一方、そのようなチップ又はフレークを石鹸主体の組成物に添加すると、石鹸の手触りの粗さが低減する。しかしながら、そのような「ＤＥＦＩ」フレーク又はチップと石鹸を従来のプロセスで混合すると、高度の「ざらつき」を持つバーが生じる。故に、そのようなチップ若しくはフレークと組み合わせる石鹸が多すぎると、又は石鹸主体のバーに添加するチップ若しくはフレークが多すぎると、貧弱な使用者特性を有するバーが生じる（チップ又はフレークを石鹸チップと共押出した場合）ことが伝統的に真であるとされてきた。理論に縛られることを望むものではないが、これは、イセチオン酸アシルを含むチップ又はフレークと石鹸チップとの間の摩耗率における差異によって引き起こされ、それにより、いわゆる「ざらつき」の問題をもたらすと考えられている。
【０００５】
上記で論じたコンボバーにおけるグリットの問題を克服するための試みがなされてきた。例えば、コンボバーは、溶融プロセス（例えば、国際公開第２００２／０１２４３０号パンフレットを参照）を使用して調製されたが、そのようなプロセスは特殊な機器を要し、行うのに高価である。
【先行技術文献】
【特許文献】
【０００６】
【特許文献１】国際公開第２００２／０１２４３０号パンフレット
【発明の概要】
【発明が解決しようとする課題】
【０００７】
したがって、比較的高レベルの石鹸を含有するが、グリット形成が低減した又はそれを有さないコンボバーが依然として必要である。本発明の目的は、特に、高割合の石鹸を含み、グリット形成の低減又は排除を呈し、従来の製造プロセスによって作製することができる、改善された洗浄組成物、例えばコンボバー等の固体洗浄組成物を提供することである。
【課題を解決するための手段】
【０００８】
第１の態様において、本発明は、
（ｉ）１〜１５ｗｔ％の少なくとも１つのＣ８−Ｃ２２脂肪酸と、
（ii）２〜２５ｗｔ％の少なくとも１つの式（Ｉ）のイセチオン酸エステル界面活性剤：
【０００９】
【化１】
2019516851.tif 000003
(I)
【００１０】
と、
（iii）０．５〜７．５ｗｔ％の少なくとも１つの式（II）のアルキルイセチオン酸エステル界面活性剤：
【００１１】
【化２】
2019516851.tif 000004
(II)
【００１２】
［式中、Ｒ１及びＲ２は、それぞれ独立して、置換又は非置換Ｃ４−Ｃ３６ヒドロカルビル基を表し、
Ｒ３、Ｒ４、Ｒ５及びＲ６は、それぞれ独立して、水素、又は置換若しくは非置換Ｃ１−Ｃ４アルキル基を表し、但し、Ｒ３、Ｒ４、Ｒ５及びＲ６の少なくとも１つは、水素ではなく、
Ｍ＋及びＭ１＋は、それぞれ独立して、カチオンを表す］
と、
（iv）５２．５〜９５ｗｔ％の石鹸と
を含む、洗浄組成物を提供する。
【００１３】
第２の態様において、本発明は、皮膚及び／又は毛髪を洗浄する方法であって、皮膚及び／又は毛髪を、第１の態様による洗浄組成物と接触させるステップを含む、方法を提供する。
【００１４】
第３の態様において、本発明は、グリット形成が低減した及び／又は排除された洗浄組成物を製造する方法であって、
（ｉ）１〜１５ｗｔ％の少なくとも１つのＣ８−Ｃ２２脂肪酸と、
（ii）２〜２５ｗｔ％の少なくとも１つの式（Ｉ）のイセチオン酸エステル界面活性剤：
【００１５】
【化３】
2019516851.tif 000005
(I)
【００１６】
と、
（iii）０．５〜７．５ｗｔ％の少なくとも１つの式（II）のアルキルイセチオン酸エステル界面活性剤：
【００１７】
【化４】
2019516851.tif 000006
(II)
【００１８】
［式中、Ｒ１及びＲ２は、それぞれ独立して、置換又は非置換Ｃ４−Ｃ３６ヒドロカルビル基を表し、
Ｒ３、Ｒ４、Ｒ５及びＲ６は、それぞれ独立して、水素、又は置換若しくは非置換Ｃ１−Ｃ４アルキル基を表し、但し、Ｒ３、Ｒ４、Ｒ５及びＲ６の少なくとも１つは、水素ではなく、
Ｍ＋及びＭ１＋は、それぞれ独立して、カチオンを表す］
と、
（iv）５２．５〜９５ｗｔ％の石鹸と
を混和するステップを含む、方法を提供する。
【００１９】
本発明の第１の態様の洗浄組成物の構成成分（ｉ）、（ii）及び（iii）は、ベース組成物、すなわち、洗浄組成物において有用なものを表すとみなされ得る。換言すれば、本発明の第１の態様の洗浄組成物は、ベース組成物及び石鹸を含み、ベース組成物は、本明細書において定義されている構成成分（ｉ）、（ii）及び（iii）を含むとみなされ得る。
【００２０】
第４の態様において、本発明は、洗浄組成物において使用するためのベース組成物であって、
（ｉ）１０〜４０ｗｔ％の少なくとも１つのＣ８−Ｃ２２脂肪酸と、
（ii）６５〜９５ｗｔ％の少なくとも１つの式（Ｉ）のイセチオン酸エステル界面活性剤：
【００２１】
【化５】
2019516851.tif 000007
(I)
【００２２】
及び５〜３５ｗｔ％の少なくとも１つの式（II）のアルキルイセチオン酸エステル界面活性剤：
【００２３】
【化６】
2019516851.tif 000008
(II)
【００２４】
［式中、Ｒ１及びＲ２は、それぞれ独立して、置換又は非置換Ｃ４−Ｃ３６ヒドロカルビル基を表し、
Ｒ３、Ｒ４、Ｒ５及びＲ６は、それぞれ独立して、水素、又は置換若しくは非置換Ｃ１−Ｃ４アルキル基を表し、但し、Ｒ３、Ｒ４、Ｒ５及びＲ６の少なくとも１つは、水素ではなく、
Ｍ＋及びＭ１＋は、それぞれ独立して、カチオンを表す］
を含む、６０〜９０ｗｔ％の合成洗剤組成物と
を含む、ベース組成物を提供する。
【００２５】
第５の態様において、本発明は、本発明の第４の態様によるベース組成物を含む、洗浄組成物を提供する。
【００２６】
第６の態様において、本発明は、洗浄組成物におけるグリット形成を低減させる及び／又は排除する方法であって、本発明の第４の態様によるベース組成物を、洗浄組成物に組み込むステップを含む、方法を提供する。
【００２７】
第７の態様において、本発明は、洗浄組成物におけるグリット形成を低減させる及び／又は排除するための、本発明の第４の態様によるベース組成物の使用を提供する。
【００２８】
第８の態様において、本発明は、皮膚及び／又は毛髪を洗浄する方法であって、皮膚及び／又は毛髪を、本発明の第４の態様によるベース組成物を含む洗浄組成物と接触させるステップを含む、方法を提供する。
【００２９】
第９の態様において、本発明は、本発明の第１の態様による洗浄組成物と、包装とを含む、パーソナルケア製品を提供する。
【図面の簡単な説明】
【００３０】
本発明のより良い理解のため、及びその例示的な実施形態がいかにして実行に移され得るかを示すために、ほんの一例として、添付の図式図を参照する。
【図１】比較例と比較した、本発明によるバーについてのグリットの量を示す図である。
【発明を実施するための形態】
【００３１】
別段の定めがない限り、本明細書及び特許請求の範囲において使用される下記の用語は、以下で提示する意味を有する。
【００３２】
用語「脂肪酸」は、本明細書において、当業者に周知であるその普通の意義で使用される。具体的には、この用語は、非エステル化脂肪酸を指す。
【００３３】
本明細書において使用される場合、用語「ヒドロカルビル基」は、当業者に周知であるその普通の意義で使用される。具体的には、この用語は、分子の残りに直接結合する炭素原子を有し、主に炭化水素の特徴を有する基を指す。ヒドロカルビル基の例は、炭化水素基、すなわち、脂肪族（飽和又は不飽和、直鎖状又は分岐状、例えばアルキル又はアルケニルであってよい）、脂環式（例えば、シクロアルキル、シクロアルケニル）及び芳香族（例えばフェニル）基を含む。
【００３４】
用語「アルキル」は、直鎖及び分岐鎖アルキル基の両方を含む。「プロピル」等の個々のアルキル基への言及は、直鎖バージョンのみに特異的であり、「イソプロピル」等の個々の分岐鎖アルキル基への言及は、分岐鎖バージョンのみに特異的である。例えば、「Ｃ４−Ｃ３６アルキル」は、Ｃ１０−Ｃ３６、Ｃ４−Ｃ６アルキル、プロピル、イソプロピル及びｔ−ブチルを含む。
【００３５】
用語「アルケニル」は、直鎖及び分岐鎖アルケニル基の両方を含む。「プロペニル」等の個々のアルケニル基への言及は、直鎖バージョンのみに特異的であり、「イソプロペニル」等の個々の分岐鎖アルケニル基への言及は、分岐鎖バージョンのみに特異的である。例えば、「Ｃ４−Ｃ３６アルケニル」は、Ｃ１０−Ｃ３６アルケニル、Ｃ４−Ｃ６アルケニル、プロペニル及びイソプロペニルを含む。
【００３６】
用語「アルコキシ」は、直鎖及び分岐鎖アルコキシ基の両方を含む。「プロポキシ」等の個々のアルコキシ基への言及は、直鎖バージョンのみに特異的であり、「イソプロポキシ」等の個々の分岐鎖アルキル基は、分岐鎖バージョンのみに特異的である。例えば、「Ｃ１−Ｃ４アルコキシ」は、Ｃ１−Ｃ２アルコキシ、プロポキシ、イソプロポキシ及びｔ−ブトキシを含む。
【００３７】
用語「アリール」は、５〜１２個の炭素原子を有する環式又は多環式芳香族環を意味する。アリール基の例は、フェニル、ビフェニル及びナフチルを含むがこれらに限定されない。特定の実施形態において、アリール基は、フェニルであってよい。
【００３８】
用語「Ｃ４−Ｃ３１アルキル−Ｃ５−Ｃ１２アリール」は、Ｃ４−Ｃ３１アルキル基と共有結合しているＣ５−Ｃ１２アリール基を意味し、それらはいずれも、本明細書において定義されている。
【００３９】
本明細書における「固体組成物」への言及は、通常の大気条件下で（すなわち、１気圧の圧力及び２９８Ｋで）固体状態である組成物を指す。
【００４０】
本明細書における「石鹸」への言及は、石鹸として一般に公知である化合物、例えば脂肪族アルカン又はアルケンモノカルボン酸のアルカリ金属及びアルカノールアンモニウム塩を指す。
【００４１】
本明細書全体を通して、用語「を含む（comprising）」又は「を含む（comprises）」は、指定される構成成分を含むが他の構成成分の存在を除外しないことを意味する。用語「から本質的になる（consisting essentially of）」又は「から本質的になる（consists essentially of）」は、指定される構成成分を含むが、本発明の技術的効果を達成する目的以外の目的のために添加される構成成分を除き、他の構成成分を除外することを意味する。用語「からなる（consisting of）」又は「からなる（consists of）」は、指定される構成成分を含むが他の構成成分を除外することを意味する。
【００４２】
適切な場合はいつでも、文脈に応じて、用語「を含む（comprises）」又は「を含む（comprising）」の使用は、意味「から本質的になる（consists essentially of）」又は「から本質的になる（consisting essentially of）」を含むと解されてもよく、意味「からなる（consists of）」又は「からなる（consisting of）」を含むと解されてもよい。
【００４３】
本明細書において、別段の指示がない限り、言及されるいかなる量も、組成物中に存在する活性構成成分の量に関する。当業者ならば、本明細書において言及される構成成分の一部の商業的供給源は、不純物、副生成物及び／又は残留出発材料を含み得ることが分かるであろう。しかしながら、指定される量は、活性材料のみを指し、存在し得るいかなる不純物、副生成物、出発材料又は希釈剤も含まない。
【００４４】
本明細書において提示する任意の特色は、個々に、又は適切な場合、互いに組み合わせてのいずれかで、特に添付の特許請求の範囲において提示する通りの組合せで、使用され得る。本明細書において提示する通りの本発明の各例示的な実施形態についての任意の特色は、適切な場合、本発明のいかなる他の態様又は例示的な実施形態にも適用可能である。換言すれば、本明細書に接した当業者は、本発明の各態様又は実施形態についての任意の特色を、本発明の異なる態様間で交換可能及び組み合わせ可能なものとみなすべきである。
【００４５】
洗浄組成物
第１の態様において、本発明は、洗浄組成物を提供する。洗浄組成物は、
（ｉ）１〜１５ｗｔ％の少なくとも１つのＣ８−Ｃ２２脂肪酸と、
（ii）２〜２５ｗｔ％の少なくとも１つの式（Ｉ）のイセチオン酸エステル界面活性剤：
【００４６】
【化７】
2019516851.tif 000009
(I)
【００４７】
と、
（iii）０．５〜７．５ｗｔ％の少なくとも１つの式（II）のアルキルイセチオン酸エステル界面活性剤：
【００４８】
【化８】
2019516851.tif 000010
(II)
【００４９】
［式中、Ｒ１及びＲ２は、それぞれ独立して、置換又は非置換Ｃ４−Ｃ３６ヒドロカルビル基を表し、
Ｒ３、Ｒ４、Ｒ５及びＲ６は、それぞれ独立して、水素、又は置換若しくは非置換Ｃ１−Ｃ４アルキル基を表し、但し、Ｒ３、Ｒ４、Ｒ５及びＲ６の少なくとも１つは、水素ではなく、
Ｍ＋及びＭ１＋は、それぞれ独立して、カチオンを表す］
と、
（iv）５２．５〜９５ｗｔ％の石鹸と
を含む。
【００５０】
適切には、第１の態様の洗浄組成物は、固体組成物である。例えば、洗浄組成物は、固体バー又はブロックの形態であってよい。第１の態様の洗浄組成物は、上記で論じた通りのコンボバー、例えば比較的高割合の石鹸を有するコンボバーであってよい。適切には、第１の態様の洗浄組成物は、例えば皮膚及び／又は毛髪を洗浄するために適切な、パーソナル洗浄組成物である。
【００５１】
第１の態様による洗浄組成物中における式（Ｉ）のイセチオン酸エステル界面活性剤及び式（II）のアルキルイセチオン酸エステル界面活性剤の割合は、組成物が約２０〜４０℃の温度の水と接触した場合に、グリットを形成しない又は以前に達成したものより低いレベルで形成する、洗浄組成物（とりわけコンボバー等の固体洗浄組成物）を提供すると考えられている。これは、使用中の洗浄組成物の性能及び使用者の知覚の観点から有利である。式（Ｉ）のイセチオン酸エステル界面活性剤及び式（II）のアルキルイセチオン酸エステル界面活性剤を比較的高レベルの石鹸と配合する能力は、良好な洗浄及び泡立ちをもたらし、皮膚及び／又は毛髪にマイルドである、洗浄組成物（とりわけ固体洗浄組成物）をさらに提供する。加えて、第１の態様による洗浄組成物は、標準的な機器を使用して製造することができ、生産するのに比較的安価である。
【００５２】
適切には、第１の態様の洗浄組成物は、５〜１０ｗｔ％の少なくとも１つのＣ８−Ｃ２２脂肪酸、特に８〜９ｗｔ％の少なくとも１つのＣ８−Ｃ２２脂肪酸等の、１〜１２ｗｔ％の少なくとも１つのＣ８−Ｃ２２脂肪酸を含む。
【００５３】
任意の適切なＣ８−Ｃ２２脂肪酸が、第１の態様の洗浄組成物に含まれてよい。例えば、Ｃ８−Ｃ２２脂肪酸は、ステアリン酸、ヤシ脂肪酸、ラウリン酸、ミリスチン酸及びパルミチン酸の１又は２以上等、１又は２以上のＣ８−Ｃ２２飽和又は不飽和脂肪酸から選択されてよい。
【００５４】
一部の実施形態において、単一のＣ８−Ｃ２２脂肪酸のみが、第１の態様の洗浄組成物中に存在してよい。一部の実施形態において、２又は３以上のＣ８−Ｃ２２脂肪酸の混合物が存在してよい。そのような実施形態において、上記の量は、組成物中に存在するすべてのＣ８−Ｃ２２脂肪酸の総量を指す。
【００５５】
Ｃ８−Ｃ２２脂肪酸は、洗浄組成物の、例えばバー及び／又はブロックへの加工、例えば成形に関して利点を提供すると考えられている。Ｃ８−Ｃ２２脂肪酸は、加工のためにより柔軟になるよう、洗浄組成物の融点を低減させると考えられている。
【００５６】
適切には、第１の態様の洗浄組成物は、５〜１５ｗｔ％の少なくとも１つの式（Ｉ）のイセチオン酸エステル界面活性剤、特に８〜１２ｗｔ％の少なくとも１つの式（Ｉ）のイセチオン酸エステル界面活性剤等、５〜２０ｗｔ％の少なくとも１つの式（Ｉ）のイセチオン酸エステル界面活性剤を含む。
【００５７】
式（Ｉ）において、基Ｒ１は、置換又は非置換Ｃ４−Ｃ３６ヒドロカルビル基を表し、Ｍ＋は、カチオンを表す。
【００５８】
好ましくは、Ｒ１は、置換又は非置換Ｃ４−Ｃ３６アルキル、Ｃ４−Ｃ３６アルケニル、Ｃ５−Ｃ１２アリール又はＣ４−Ｃ３１アルキル−Ｃ５−Ｃ１２アリール基から選択される。より好ましくは、Ｒ１は、置換又は非置換Ｃ４−Ｃ３６アルキル又はＣ４−Ｃ３６アルケニル基から選択される。最も好ましくは、Ｒ１は、非置換Ｃ４−Ｃ３６アルキル又はＣ４−Ｃ３６アルケニル基、とりわけ非置換Ｃ４−Ｃ３６アルキル基である。
【００５９】
好ましくは、Ｒ１は、置換又は非置換Ｃ５−Ｃ３０アルキル基、好ましくは置換又は非置換Ｃ７−Ｃ２４アルキル基、より好ましくは置換又は非置換Ｃ７−Ｃ２１アルキル基、最も好ましくは置換又は非置換Ｃ７−Ｃ１７アルキル基を表す。
【００６０】
好ましくは、Ｒ１は、非置換Ｃ５−Ｃ３０アルキル基、好ましくは非置換Ｃ７−Ｃ２４アルキル基、より好ましくは非置換Ｃ７−Ｃ２１アルキル基、最も好ましくは非置換Ｃ７−Ｃ１７アルキル基を表す。
【００６１】
Ｒ１は、好ましくは脂肪酸の残基である。天然油から得られた脂肪酸は、多くの場合、脂肪酸の混合物を含む。例えば、ココナツ油から得られた脂肪酸は、Ｃ１２ラウリン酸、Ｃ１４ミリスチン酸、Ｃ１６パルミチン酸、Ｃ８カプリル酸、並びにＣ１８ステアリン酸及びオレイン酸を含む脂肪酸の混合物を含有する。
【００６２】
Ｒ１は、１若しくは２以上の天然の脂肪酸の及び／又は１若しくは２以上の合成脂肪酸の残基を含み得る。一部の好ましい実施形態において、Ｒ１は、単一脂肪酸の残基から本質的になる。
【００６３】
Ｒ１が由来し得るカルボン酸の例は、ココ酸、ヘキサン酸、カプロン酸、カプリル酸、カプリン酸、ラウリン酸、ミリスチン酸、パルミチン酸、パルミトレイン酸、ステアリン酸、オレイン酸、リノール酸、アラキジン酸、ガドレイン酸、アラキドン酸、エイコサペンタエン酸、ベヘン酸、エルカ酸、ドコサヘキサエンリグノセリン酸（docosahexanoic lignoceric acid）；ココナツ油、牛脂、パーム核油、乳脂肪、パーム油、オリーブ油、コーン油、アマニ油、落花生油、魚油及び菜種油に由来するもの等の天然の脂肪酸；単一長さの鎖又は選択された鎖長分布として作製された合成脂肪酸；並びにそれらの混合物を含む。適切には、Ｒ１は、ココ酸の残基、ココナツ油に由来する混合脂肪酸の残基、又はパーム核油に由来する混合脂肪酸の残基を含む。
【００６４】
例えば、式（Ｉ）のイセチオン酸エステル界面活性剤は、ラウロイルイセチオン酸ナトリウム、ココイルイセチオン酸ナトリウム及びミリストイルイセチオン酸ナトリウムの１又は２以上から選択されてよい。ココイルイセチオン酸ナトリウムがとりわけ好ましい。
【００６５】
式（Ｉ）のイセチオン酸エステル界面活性剤は、先行技術において開示されている方法のいずれかによって調製されてよく、例えば、国際公開第９４／０９７６３号パンフレット及び国際公開第２００５／０７５６２３号パンフレットにおいて記述されている方法を参照されたい。
【００６６】
一部の実施形態において、単一の式（Ｉ）のイセチオン酸エステル界面活性剤のみが、第１の態様の洗浄組成物中に存在してよい。一部の実施形態において、２又は３以上の式（Ｉ）のイセチオン酸エステル界面活性剤の混合物が存在してよい。そのような実施形態において、上記の量は、組成物中に存在するすべての式（Ｉ）のイセチオン酸エステル界面活性剤の総量を指す。
【００６７】
好ましくは、Ｍ＋は、置換されていてもよいアンモニウムカチオン、又は、最も好ましくは、金属カチオンを表す。適切なアンモニウムカチオンは、ＮＨ４＋及びトリエタノールアミンのアンモニウムカチオンを含む。適切な金属カチオンは、アルカリ金属カチオン、例えば、ナトリウム、リチウム及びカリウムカチオン、並びにアルカリ土類金属カチオン、例えば、カルシウム及びマグネシウムカチオンを含む。好ましくは、Ｍ＋は、亜鉛、カリウム又はナトリウムカチオンを表す。最も好ましくは、Ｍ＋は、ナトリウムカチオンを表す。
【００６８】
当業者ならば、Ｍ＋が二価金属カチオンである場合、カチオンの各モルにつき２モルのアニオンが存在することが分かるであろう。
【００６９】
適切には、第１の態様の洗浄組成物は、０．５〜６ｗｔ％の少なくとも１つの式（II）のアルキルイセチオン酸エステル界面活性剤、より適切には、２〜４ｗｔ％の少なくとも１つの式（II）のアルキルイセチオン酸エステル界面活性剤、特に２．５〜３．５ｗｔ％の少なくとも１つの式（II）のアルキルイセチオン酸エステル界面活性剤等、１〜５ｗｔ％の少なくとも１つの式（II）のアルキルイセチオン酸エステル界面活性剤を含む。
【００７０】
式（II）において、基Ｒ２は、置換又は非置換Ｃ４−Ｃ３６ヒドロカルビル基を表し、基Ｒ３、Ｒ４、Ｒ５及びＲ６は、それぞれ独立して、水素、又は置換若しくは非置換Ｃ１−Ｃ４アルキル基を表し、但し、Ｒ３、Ｒ４、Ｒ５及びＲ６の少なくとも１つは、水素ではなく、Ｍ１＋は、カチオンを表す。
【００７１】
好ましくは、Ｒ２は、置換又は非置換Ｃ４−Ｃ３６アルキル、Ｃ４−Ｃ３６アルケニル、Ｃ５−Ｃ１２アリール又はＣ４−Ｃ３１アルキル−Ｃ５−Ｃ１２アリール基から選択される。より好ましくは、Ｒ２は、置換又は非置換Ｃ４−Ｃ３６アルキル又はＣ４−Ｃ３６アルケニル基から選択される。最も好ましくは、Ｒ２は、非置換Ｃ４−Ｃ３６アルキル又はＣ４−Ｃ３６アルケニル基、とりわけ非置換Ｃ４−Ｃ３６アルキル基である。
【００７２】
好ましくは、Ｒ２は、置換又は非置換Ｃ５−Ｃ３０アルキル基、好ましくは置換又は非置換Ｃ７−Ｃ２４アルキル基、より好ましくは置換又は非置換Ｃ７−Ｃ２１アルキル基、最も好ましくは置換又は非置換Ｃ７−Ｃ１７アルキル基を表す。
【００７３】
好ましくは、Ｒ２は、非置換Ｃ５−Ｃ３０アルキル基、好ましくは非置換Ｃ７−Ｃ２４アルキル基、より好ましくは非置換Ｃ７−Ｃ２１アルキル基、最も好ましくは非置換Ｃ７−Ｃ１７アルキル基を表す。
【００７４】
Ｒ２は、好ましくは脂肪酸の残基である。天然油から得られた脂肪酸は、多くの場合、脂肪酸の混合物を含む。例えば、ココナツ油から得られた脂肪酸は、Ｃ１２ラウリン酸、Ｃ１４ミリスチン酸、Ｃ１６パルミチン酸、Ｃ８カプリル酸、並びにＣ１８ステアリン及びオレイン酸を含む脂肪酸の混合物を含有する。
【００７５】
Ｒ２は、１若しくは２以上の天然の脂肪酸の及び／又は１若しくは２以上の合成脂肪酸の残基を含み得る。一部の好ましい実施形態において、Ｒ２は、単一脂肪酸の残基から本質的になる。
【００７６】
Ｒ２が由来し得るカルボン酸の例は、ココ酸、ヘキサン酸、カプロン酸、カプリル酸、カプリン酸、ラウリン酸、ミリスチン酸、パルミチン酸、パルミトレイン酸、ステアリン酸、オレイン酸、リノール酸、アラキジン酸、ガドレイン酸、アラキドン酸、エイコサペンタエン酸、ベヘン酸、エルカ酸、ドコサヘキサンリグノセリン酸；ココナツ油、牛脂、パーム核油、乳脂肪、パーム油、オリーブ油、コーン油、アマニ油、落花生油、魚油及び菜種油に由来するもの等の天然の脂肪酸；単一長さの鎖又は選択された鎖長分布として作製された合成脂肪酸；並びにそれらの混合物を含む。適切には、Ｒ２は、ココ酸の残基、ココナツ油に由来する混合脂肪酸の残基、又はパーム核油に由来する混合脂肪酸の残基を含む。より適切には、Ｒ２は、１２個の炭素原子を有する飽和脂肪酸の残基を含む。
【００７７】
例えば、式（II）のアルキルイセチオン酸エステル界面活性剤は、ラウロイルメチルイセチオン酸ナトリウム、ココイルメチルイセチオン酸ナトリウム及びオレオイルメチルイセチオン酸ナトリウムの１又は２以上から選択されてよい。ラウロイルメチルイセチオン酸ナトリウムがとりわけ好ましい。
【００７８】
第１の態様の洗浄組成物は、１つを超える式（II）の化合物の混合物を含んでよい。例えば、式（II）の化合物の異性体混合物が存在してよい。そのような混合物は、例えば、Ｒ３が置換又は非置換Ｃ１−Ｃ４アルキル（適切にはメチル）であり、Ｒ４、Ｒ５及びＲ６がすべて水素である化合物、並びに、Ｒ６が置換又は非置換Ｃ１−Ｃ４アルキル（適切にはメチル）であり、Ｒ３、Ｒ４及びＲ５がすべて水素である化合物を含み得る。
【００７９】
式（II）のアルキルイセチオン酸エステル界面活性剤は、先行技術において開示されている方法のいずれかによって調製されてよく、例えば、国際公開第９４／０９７６３号パンフレット及び国際公開第２００５／０７５６２３号パンフレットにおいて記述されている方法を参照されたい。
【００８０】
一部の実施形態において、単一の式（II）のアルキルイセチオン酸エステル界面活性剤のみが、第１の態様の洗浄組成物中に存在してよい。一部の実施形態において、２又は３以上の式（II）のアルキルイセチオン酸エステル界面活性剤の混合物が存在してよい。そのような実施形態において、上記の量は、組成物中に存在するすべての式（II）のアルキルイセチオン酸エステル界面活性剤の総量を指す。
【００８１】
Ｒ３、Ｒ４、Ｒ５及びＲ６のいずれかが、置換又は非置換Ｃ１−Ｃ４アルキル基を表す場合、アルキル基は、好ましくは、エチル又はメチル等、ｎ−プロピル、エチル又はメチル、最も好ましくはメチルである。
【００８２】
好ましくは、基Ｒ３、Ｒ４、Ｒ５及びＲ６の１つは、置換又は非置換Ｃ１−Ｃ４アルキル基を表し、残りの基は、水素を表す。例えば、Ｒ３は、置換又は非置換Ｃ１−Ｃ４アルキル基を表してよく、Ｒ４、Ｒ５及びＲ６は、すべて水素を表してよい。例えば、Ｒ５は、置換又は非置換Ｃ１−Ｃ４アルキル基を表してよく、Ｒ３、Ｒ４及びＲ６は、すべて水素を表してよい。
【００８３】
好ましくは、Ｒ３は、非置換Ｃ１−Ｃ４アルキル基を表し、Ｒ４、Ｒ５及びＲ６は、すべて水素を表す。好ましくは、Ｒ５は、非置換Ｃ１−Ｃ４アルキル基を表し、Ｒ３、Ｒ４及びＲ６は、すべて水素を表す。
【００８４】
最も好ましくは、Ｒ３は、メチル基を表し、Ｒ４、Ｒ５及びＲ６は、すべて水素を表す。最も好ましくは、Ｒ５は、メチル基を表し、Ｒ３、Ｒ４及びＲ６は、すべて水素を表す。
【００８５】
好ましくは、Ｍ１＋は、置換されていてもよいアンモニウムカチオン、又は、最も好ましくは、金属カチオンを表す。適切なアンモニウムカチオンは、ＮＨ４＋及びトリエタノールアミンのアンモニウムカチオンを含む。適切な金属カチオンは、アルカリ金属カチオン、例えば、ナトリウム、リチウム及びカリウムカチオン、並びにアルカリ土類金属カチオン、例えば、カルシウム及びマグネシウムカチオンを含む。好ましくは、Ｍ１＋は、亜鉛、カリウム又はナトリウムカチオンを表す。最も好ましくは、Ｍ１＋は、ナトリウムカチオンを表す。
【００８６】
当業者ならば、Ｍ１＋が二価金属カチオンである場合、カチオンの各モルにつき２モルのアニオンが存在することが分かるであろう。
【００８７】
基Ｒ１、Ｒ２、Ｒ３、Ｒ４、Ｒ５及び／又はＲ６のいずれかが置換されている場合、適切な置換基は、非炭化水素基を含んでよく、但し、それらは基Ｒ１、Ｒ２、Ｒ３、Ｒ４、Ｒ５及び／又はＲ６の主に炭化水素の性質を変化させない。基Ｒ１、Ｒ２、Ｒ３、Ｒ４、Ｒ５及び／又はＲ６のいずれかのための適切な置換基の例は、Ｃ１−４アルコキシ、シアノ、ヒドロキシ、オキソ、ハロ（とりわけフルオロ及びクロロ）、トリフルオロメチル及びトリフルオロメトキシを含む。
【００８８】
適切には、第１の態様の洗浄組成物は、５５〜９５ｗｔ％の石鹸、より適切には、７０〜９５ｗｔ％の石鹸、好ましくは７０〜８５ｗｔ％の石鹸等、６０〜９５ｗｔ％の石鹸を含む。
【００８９】
いずれかの適切な石鹸が、第１の態様の洗浄組成物に含まれてよい。適切な石鹸は、鹸化油及び中和脂肪酸を含む。例えば、石鹸は、ヤシ脂肪酸ナトリウム、牛脂脂肪酸ナトリウム、ラウリン酸ナトリウム、ミリスチン酸ナトリウム、ステアリン酸ナトリウム、パーム脂肪酸ナトリウム、パーム核脂肪酸ナトリウム、オリーブ脂肪酸ナトリウム、ヤシ脂肪酸カリウム、牛脂脂肪酸カリウム、ラウリン酸カリウム、ミリスチン酸カリウム、ステアリン酸カリウム、パーム脂肪酸カリウム、パーム核脂肪酸カリウム、オリーブ脂肪酸カリウム、ヤシ脂肪酸モノ、ジ又はトリエタノールアミン、牛脂脂肪酸モノ、ジ又はトリエタノールアミン、ラウリン酸モノ、ジ又はトリエタノールアミン、ミリスチン酸モノ、ジ又はトリエタノールアミン、ステアリン酸モノ、ジ又はトリエタノールアミン、パーム脂肪酸モノ、ジ又はトリエタノールアミン、パーム核脂肪酸モノ、ジ又はトリエタノールアミン、及びオリーブ脂肪酸モノ、ジ又はトリエタノールアミンの１又は２以上等、Ｃ８−Ｃ２２飽和又は不飽和脂肪酸の１又は２以上の塩から選択されてよい。
【００９０】
適切には、石鹸は、ヤシ脂肪酸ナトリウム、牛脂脂肪酸ナトリウム、ラウリン酸ナトリウム、ミリスチン酸ナトリウム、ステアリン酸ナトリウム、パーム脂肪酸ナトリウム、パーム核脂肪酸ナトリウム及びオリーブ脂肪酸ナトリウムの１又は２以上から選択されてよい。より適切には、石鹸は、ヤシ脂肪酸ナトリウム及び牛脂脂肪酸ナトリウムの１又は２以上から選択されてよい。例えば、石鹸は、１：４〜４：１の範囲内の重量比のヤシ脂肪酸ナトリウム及び牛脂脂肪酸ナトリウムの混合物等、ヤシ脂肪酸ナトリウム及び／又は牛脂脂肪酸ナトリウムを含んでよい。特に、石鹸は、１：４の重量比のヤシ脂肪酸ナトリウム及び牛脂脂肪酸ナトリウムの混合物を含んでよい。
【００９１】
第１の態様の洗浄組成物は、式（Ｉ）及び（II）の界面活性剤に加えて、１又は２以上のさらなる界面活性剤（１又は２以上のさらなる固体界面活性剤等）を含んでよい。他の適切な界面活性剤は、アニオン性界面活性剤、カチオン性界面活性剤、非イオン性界面活性剤、両性イオン性及び両性界面活性剤を含む。
【００９２】
本明細書における使用に適切なアニオン性界面活性剤は、硫酸塩、スルホン酸塩、リン酸塩、Ｃ１２−Ｃ１８カルボン酸、エトキシル化カルボン酸の塩、カルボン酸エステル、エトキシル化カルボン酸エステル、サルコシン酸塩、グルタミン酸塩及びグリシン酸塩等のアミノ酸界面活性剤、スルホコハク酸塩、タウレート、ラクチレート並びにスルホ酢酸塩を含む。
【００９３】
上記の特に例示的な塩は、適用可能な場合、ナトリウム塩、カリウム塩、アンモニウム塩、マグネシウム塩及びトリエタノールアミン塩である。
【００９４】
本明細書における使用に特に好ましいアニオン性界面活性剤は、ヤシ油脂肪酸メチルタウリンナトリウム、ラウリルサルコシン酸ナトリウム、スルホコハク酸ラウリルナトリウム、アルキル硫酸塩、例えばラウリル硫酸ナトリウム、及びアルキルエーテル硫酸塩、例えばラウリルエーテル硫酸ナトリウムを含む。
【００９５】
本明細書における使用に適切な非イオン性界面活性剤は、アルコールエトキシレート及びアルコールプロポキシレート等のアルコールアルコキシレート、エチレンオキシド／プロピレンオキシドコポリマー由来の界面活性剤、糖エステル、とりわけソルビタンエステル、アルキルポリグルコシド、脂肪酸エトキシレート及びプロポキシレート等の脂肪酸アルコキシレート、ポリエチレングリコールエステル及び部分エステル、アルカノールアミド並びにアミンオキシドを含む。
【００９６】
本明細書における使用に適切なカチオン性界面活性剤は、一般的には、脂肪アミン誘導体又は第４級ホスホニウムイオン、及び第４級アンモニウム化合物に基づく。
【００９７】
適切な両性界面活性剤は、脂肪酸窒素誘導体に基づくもの及びベタインに基づくものを含む。
【００９８】
適切な両性又は両性イオン性界面活性剤は、ベタイン、例えば、アルキルベタイン、アルキルアミドプロピルベタイン、アルキルアミドプロピルヒドロキシスルタイン、アルキルアンホアセテート、アルキルアンホジアセテート、アルキルアンホプロピオネート、アルキルアンホジプロピオネート、アルキルイミノジプロピオネート及びアルキルイミノジアセテートから選択されてよい。
【００９９】
適切には、第１の態様の洗浄組成物は、０．１〜１０ｗｔ％、適切には０．５〜７．５ｗｔ％、例えば１〜５ｗｔ％又は２〜４ｗｔ％の上記で論じた通りのさらなる界面活性剤を含んでよい。
【０１００】
第１の態様の洗浄組成物は、いずれかの適切な追加の成分を含んでいてもよい。適切なそのような追加の成分の例は、香料、顔料／着色剤（二酸化チタン等）、充填剤（タルク又はデンプン等）、ワックス（パラフィン、ミツロウ又はカルナバ等）、ポリクォート（Polyquat 7、Polyquat 10、Polyquat 11又はPolyquat 22等）、ポロキサマー、ポリヒドロキシアルコール（グリセリン、ＰＥＧ等）、カチオン性グアー、キレート剤（エチドロン酸四ナトリウム、エチレン−Ｎ，Ｎ’−ジコハク酸、ペンテト酸五ナトリウム又はエチレンジアミン四酢酸四ナトリウム等）及び活性成分（サリチル酸、過酸化ベンゾイル、日焼け止め剤、植物又は抗微生物剤等）を含む。
【０１０１】
第１の態様の洗浄組成物を使用して、皮膚又は毛髪等のいずれかの適切な基質を清浄化することができる。第２の態様において、本発明は、皮膚及び／又は毛髪を洗浄する方法であって、皮膚及び／又は毛髪を、第１の態様による洗浄組成物と接触させるステップを含む、方法を提供する。
【０１０２】
第２の態様の方法は、適切には、洗浄組成物を皮膚及び／又は毛髪と接触させるステップの前に、水で皮膚及び／若しくは毛髪を濡らす並びに／又は洗浄組成物（例えば固体洗浄組成物）を濡らすステップを伴ってよい。
【０１０３】
第２の態様の方法は、皮膚及び／又は毛髪から洗浄組成物を水ですすぐステップを含んでよい。
【０１０４】
好ましくは、第２の態様の方法は、皮膚及び／又は毛髪を洗浄する方法である。
【０１０５】
第３の態様において、本発明は、グリット形成が低減した及び／又は排除された洗浄組成物を製造する方法であって、
（ｉ）１〜１５ｗｔ％の少なくとも１つのＣ８−Ｃ２２脂肪酸と、
（ii）２〜２５ｗｔ％の少なくとも１つの式（Ｉ）のイセチオン酸エステル界面活性剤：
【０１０６】
【化９】
2019516851.tif 000011
(I)
【０１０７】
と、
（iii）０．５〜７．５ｗｔ％の少なくとも１つの式（II）のアルキルイセチオン酸エステル界面活性剤：
【０１０８】
【化１０】
2019516851.tif 000012
(II)
【０１０９】
［式中、Ｒ１及びＲ２は、それぞれ独立して、置換又は非置換Ｃ４−Ｃ３６ヒドロカルビル基を表し、
Ｒ３、Ｒ４、Ｒ５及びＲ６は、それぞれ独立して、水素、又は置換若しくは非置換Ｃ１−Ｃ４アルキル基を表し、但し、Ｒ３、Ｒ４、Ｒ５及びＲ６の少なくとも１つは、水素ではなく、
Ｍ＋及びＭ１＋は、それぞれ独立して、カチオンを表す］
と、
（iv）５２．５〜９５ｗｔ％の石鹸と
を混和するステップを含む、方法を提供する。
【０１１０】
第３の態様の方法は、洗浄組成物を圧縮して、所望の形状を形成するステップをさらに含んでよい。
【０１１１】
第３の態様の方法は、微粒子形態の構成成分を混和するステップと、混合された微粒子を鋳型に注ぎ入れるステップと、次いで、鋳型を圧縮するステップとを含んでよい。
【０１１２】
第３の態様の方法は、構成成分を混和し、構成成分が融解又は分散する（例えば１００℃以上の）温度に加熱するステップと、次いで、得られた混合物をチルロールに通過させるステップと、生成物を押出してペレットにするステップとを含んでよい。次いで、ペレットを、さらなる適切な追加の成分と混合した後、精製し、押圧してバーにしてよい。
【０１１３】
第３の態様の好ましい特色は、第１の態様に関して定義されている通りである。
【０１１４】
第４の態様において、本発明は、洗浄組成物において使用するためのベース組成物であって、
（ｉ）１０〜４０ｗｔ％の少なくとも１つのＣ８−Ｃ２２脂肪酸と、
（ii）６５〜９５ｗｔ％の少なくとも１つの式（Ｉ）のイセチオン酸エステル界面活性剤：
【０１１５】
【化１１】
2019516851.tif 000013
(I)
【０１１６】
及び５〜３５ｗｔ％の少なくとも１つの式（II）のアルキルイセチオン酸エステル界面活性剤：
【０１１７】
【化１２】
2019516851.tif 000014
(II)
【０１１８】
［式中、Ｒ１及びＲ２は、それぞれ独立して、置換又は非置換Ｃ４−Ｃ３６ヒドロカルビル基を表し、
Ｒ３、Ｒ４、Ｒ５及びＲ６は、それぞれ独立して、水素、又は置換若しくは非置換Ｃ１−Ｃ４アルキル基を表し、但し、Ｒ３、Ｒ４、Ｒ５及びＲ６の少なくとも１つは、水素ではなく、
Ｍ＋及びＭ１＋は、それぞれ独立して、カチオンを表す］
を含む、６０〜９０ｗｔ％の合成洗剤組成物と
を含む、ベース組成物を提供する。
【０１１９】
適切には、第４の態様のベース組成物は、固体組成物である。例えば、ベース組成物は、固体フレーク、ヌードル又はチップの形態であってよい。第４の態様のベース組成物は、第１の態様に関して定義されている通り、洗浄組成物（パーソナル洗浄組成物等）、とりわけ固体洗浄組成物を調製するために適切であってよい。
【０１２０】
第４の態様のベース組成物を使用して、本明細書において論じられている通りの第１の態様の洗浄組成物と同じ利点を供与する洗浄組成物を提供し得る。加えて、第４の態様のベース組成物は、標準的な機器及び製造プロセスを使用するそのような組成物への組み込みのための洗浄組成物（とりわけ固体洗浄組成物）の製造業者に供給され得る。
【０１２１】
第４の態様の好ましい特色は、第１の態様に関して定義されている通りである。故に、Ｃ８−Ｃ２２脂肪酸、式（Ｉ）のイセチオン酸エステル界面活性剤及び式（II）のアルキルイセチオン酸エステル界面活性剤の好ましい特色は、第１の態様に関して定義されている通りである。
【０１２２】
第４の態様のベース組成物は、１つを超える式（Ｉ）及び／又は（II）の化合物の混合物を含んでよい。例えば、式（II）の化合物の異性体混合物が存在してよい。そのような混合物は、例えば、Ｒ３が置換又は非置換Ｃ１−Ｃ４アルキル（適切にはメチル）であり、Ｒ４、Ｒ５及びＲ６がすべて水素である化合物、並びに、Ｒ６が置換又は非置換Ｃ１−Ｃ４アルキル（適切にはメチル）であり、Ｒ３、Ｒ４及びＲ５がすべて水素である化合物を含み得る。
【０１２３】
一部の実施形態において、単一のＣ８−Ｃ２２脂肪酸のみが、第４の態様のベース組成物中に存在してよい。一部の実施形態において、２又は３以上のＣ８−Ｃ２２脂肪酸の混合物が存在してよい。そのような実施形態において、上記の量は、組成物中に存在するすべてのＣ８−Ｃ２２脂肪酸の総量を指す。
【０１２４】
一部の実施形態において、単一の式（Ｉ）のイセチオン酸エステル界面活性剤のみが、第４の態様のベース組成物中に存在してよい。一部の実施形態において、２又は３以上の式（Ｉ）のイセチオン酸エステル界面活性剤の混合物が存在してよい。そのような実施形態において、上記の量は、組成物中に存在するすべての式（Ｉ）のイセチオン酸エステル界面活性剤の総量を指す。
【０１２５】
一部の実施形態において、単一の式（II）のアルキルイセチオン酸エステル界面活性剤のみが、第４の態様のベース組成物中に存在してよい。一部の実施形態において、２又は３以上の式（II）のアルキルイセチオン酸エステル界面活性剤の混合物が存在してよい。そのような実施形態において、上記の量は、組成物中に存在するすべての式（II）のアルキルイセチオン酸エステル界面活性剤の総量を指す。
【０１２６】
第５の態様において、本発明は、第４の態様によるベース組成物を含む、洗浄組成物（パーソナル洗浄組成物等）を提供する。適切には、本発明は、第４の態様によるベース組成物と、石鹸とを含む、洗浄組成物（パーソナル洗浄組成物等）を提供する。
【０１２７】
好ましくは、本発明は、第４の態様によるベース組成物を含む、固体洗浄組成物を提供する。好ましくは、本発明は、第４の態様によるベース組成物と、石鹸とを含む、固体洗浄組成物を提供する。
【０１２８】
第５の態様の洗浄組成物は、５〜７０ｗｔ％の第４の態様によるベース組成物と、３０〜９５ｗｔ％の石鹸とを含んでよい。
【０１２９】
第５の態様の洗浄組成物は、５〜４７．５ｗｔ％の第４の態様によるベース組成物と、５２．５〜９５ｗｔ％の石鹸とを含んでよい。
【０１３０】
第５の態様の洗浄組成物は、５〜４０ｗｔ％の第４の態様によるベース組成物と、６０〜９５ｗｔ％の石鹸とを含んでよい。
【０１３１】
いずれかの適切な石鹸が、第５の態様の洗浄組成物に含まれてよい。適切な石鹸は、鹸化油及び中和脂肪酸を含む。例えば、石鹸は、ヤシ脂肪酸ナトリウム、牛脂脂肪酸ナトリウム、ラウリン酸ナトリウム、ミリスチン酸ナトリウム、ステアリン酸ナトリウム、パーム脂肪酸ナトリウム、パーム核脂肪酸ナトリウム、オリーブ脂肪酸ナトリウム、ヤシ脂肪酸カリウム、牛脂脂肪酸カリウム、ラウリン酸カリウム、ミリスチン酸カリウム、ステアリン酸カリウム、パーム脂肪酸カリウム、パーム核脂肪酸カリウム、オリーブ脂肪酸カリウム、ヤシ脂肪酸モノ、ジ又はトリエタノールアミン、牛脂脂肪酸モノ、ジ又はトリエタノールアミン、ラウリン酸モノ、ジ又はトリエタノールアミン、ミリスチン酸モノ、ジ又はトリエタノールアミン、ステアリン酸モノ、ジ又はトリエタノールアミン、パーム脂肪酸モノ、ジ又はトリエタノールアミン、パーム核脂肪酸モノ、ジ又はトリエタノールアミン、及びオリーブ脂肪酸モノ、ジ又はトリエタノールアミンの１又は２以上等、Ｃ８−Ｃ２２飽和又は不飽和脂肪酸の１又は２以上の塩から選択されてよい。
【０１３２】
適切には、石鹸は、ヤシ脂肪酸ナトリウム、牛脂脂肪酸ナトリウム、ラウリン酸ナトリウム、ミリスチン酸ナトリウム、ステアリン酸ナトリウム、パーム脂肪酸ナトリウム、パーム核脂肪酸ナトリウム及びオリーブ脂肪酸ナトリウムの１又は２以上から選択されてよい。より適切には、石鹸は、ヤシ脂肪酸ナトリウム及び牛脂脂肪酸ナトリウムの１又は２以上から選択されてよい。例えば、石鹸は、１：４〜４：１の範囲内の重量比のヤシ脂肪酸ナトリウム及び牛脂脂肪酸ナトリウムの混合物等、ヤシ脂肪酸ナトリウム及び／又は牛脂脂肪酸ナトリウムを含んでよい。特に、石鹸は、１：４の重量比のヤシ脂肪酸ナトリウム及び牛脂脂肪酸ナトリウムの混合物を含んでよい。
【０１３３】
第５の態様の洗浄組成物は、いずれかの適切な追加の成分を含んでいてもよい。適切なそのような追加の成分の例は、香料、顔料／着色剤（二酸化チタン等）、充填剤（タルク又はデンプン等）、ワックス（パラフィン、ミツロウ又はカルナバ等）、ポリクォート（Polyquat 7、Polyquat 10、Polyquat 11又はPolyquat 22等）、ポロキサマー、ＰＥＧ、カチオン性グアー、キレート剤（エチドロン酸四ナトリウム、エチレン−Ｎ，Ｎ’−ジコハク酸、ペンテト酸五ナトリウム又はエチレンジアミン四酢酸四ナトリウム等）及び活性成分（サリチル酸、過酸化ベンゾイル、日焼け止め剤、植物又は抗微生物剤等）を含む。
【０１３４】
第５の態様の洗浄組成物を使用して、皮膚又は毛髪等のいずれかの適切な基質を清浄化することができる。本発明は、皮膚及び／又は毛髪を洗浄する方法であって、皮膚及び／又は毛髪を、第５の態様による洗浄組成物と接触させるステップを含む、方法を提供する。この方法は、第２の態様の方法の好ましい特色を含む。
【０１３５】
第５の態様の洗浄組成物は、いずれかの適切な方法によって、例えば第３の態様による方法を使用して、調製することができる。第５の態様の洗浄組成物は、第４の態様によるベース組成物を石鹸と混合することによって調製されてよい。
【０１３６】
第６の態様において、本発明は、洗浄組成物（パーソナル洗浄組成物、とりわけ固体洗浄組成物等）におけるグリット形成を低減させる及び／又は排除する方法であって、第４の態様によるベース組成物を、洗浄組成物に組み込むステップを含む、方法を提供する。
【０１３７】
第７の態様において、本発明は、洗浄組成物（パーソナル洗浄組成物、とりわけ固体洗浄組成物等）におけるグリット形成を低減させる及び／又は排除するための、第４の態様によるベース組成物の使用を提供する。
【０１３８】
第８の態様において、本発明は、皮膚及び／又は毛髪を洗浄する方法であって、皮膚及び／又は毛髪を、第４の態様によるベース組成物を含む洗浄組成物と接触させるステップを含む、方法を提供する。
【０１３９】
第８の態様の好ましい特色は、第２の態様に関して定義されている通りである。
【０１４０】
第９の態様において、本発明は、第１又は第５の態様による洗浄組成物と、包装とを含む、パーソナルケア製品を提供する。
【０１４１】
いずれかの適切な包装を使用してよく、製品の正確な性質によって決まることになる。
【０１４２】
［実施例］
ここで、下記の非限定的な例を参照して、本発明について記述する。
【実施例１】
【０１４３】
表１に示す通り、下記の成分を含む固体洗浄組成物を調製した：
【０１４４】
【表１】
2019516851.tif 000015
【０１４５】
ＳＣＩ、脂肪酸ブレンド及びＳＬＭＩ（存在する場合）のフレークを、Amalgamator内で石鹸と乾燥混合させた。次いで、乾燥ＴｉＯ２及びＮａＣｌ溶液を添加し、混合した。得られた混合物を押出機に移し、その中で、次第に細目のスクリーン、１０メッシュ、３０メッシュ及び５０メッシュを用いて精製した。次いで、材料をプロッダーに移して、スラグを作製し、これを押圧して石鹸バーにした。得られたバーを、２５℃及び３０℃におけるそれらのグリット含有量、それらの硬度並びにそれらの加工性について試験した。結果を以下の表２に示す。
【０１４６】
【表２】
2019516851.tif 000016
【０１４７】
加工性は、本発明者らによって主観的に判断した。考慮した要因は、押出されるペレットの軟性、加工するのにかかる時間、加工される際のペレットの粘性、及び材料がホッパーを通過して押出機に入るか否かを含んでいた。
【０１４８】
硬度は、ASTM 1321に従って測定した。
【０１４９】
グリット試験のために、調製したバーのそれぞれを、２５℃又は３０℃の水道水で洗い流した。バーを、指定された温度の水道水流中に保持し、手でそれを擦って静かに回転させることにより、１分間にわたって洗い流した。この期間の終わりに、濡れたバーの表面質感に留意し、次いで、洗浄したバーの表面質感を等級付けした。等級付けが低くなるにつれてグリットは低くなり、ゼロの等級付けは、グリットが存在しないことを指示するものであった。洗い流し試験後、バーを２４時間にわたって乾燥させ、１枚のカーボンブラック紙の上に置き、２０秒間にわたって保持した。これにより、グリットの存在が見えるようになった。
【０１５０】
表２から、本発明によるバー（すなわち、実施例１、３及び５の組成物）は、比較例と比較した場合、グリットの低減又は不在を呈することが分かる。これは、図１においてさらに示されており、本発明によるバーが、比較例と比較した場合に、より平滑であり、グリットが少ないことが視覚的に示されている。表２は、本発明によるバー（すなわち、実施例１、３及び５の組成物）が、比較例と比較した場合に、加工性及び硬度特性を維持することも示す。
【０１５１】
本出願に関連して本明細書と同時に又は以前に出願され、本明細書とともに公衆の閲覧に付されたすべての論文及び文書に注意が向けられ、すべてのそのような論文及び文書の内容は、参照により本明細書に組み込まれる。
【０１５２】
本明細書において開示される特色のすべて（あらゆる添付の特許請求の範囲及び図面を含む）及び／又はそのように開示されたあらゆる方法若しくはプロセスのステップのすべては、そのような特色及び／又はステップの少なくとも一部が相互排他的である組合せを除き、いかなる組合せで組み合わせてもよい。
【０１５３】
本明細書において開示される各特色（あらゆる添付の特許請求の範囲、要約及び図面を含む）は、明示的に別段の定めがない限り、同じ、同等の又は同様の目的を果たす代替的特色によって置きかえられてよい。故に、明示的に別段の定めがない限り、開示される各特色は、包括的な一連の同等の又は同様の特色の一例に過ぎない。
【０１５４】
本発明は、上述の実施形態の詳細に制限されない。本発明は、本明細書（あらゆる添付の特許請求の範囲及び図面を含む）において開示される特色の、いずれかの新規の１つ若しくはいずれかの新規の組合せ、又はそのように開示されたあらゆる方法若しくはプロセスのステップの、いずれかの新規の１つ若しくはいずれかの新規の組合せにまで及ぶものである。
【図１】
2019516851.tif 000023
【国際調査報告】
2019516851.tif 000024
2019516851.tif 000025